(57)【要約】【課題】  本発明は、ビデオ信号（ＣＶＢＳ）を表すデジタルストリーム（ＭＰＥＧ）のソース（２）と、複数の記録のうちの１つの記録としてデジタルストリーム（ＭＰＥＧ）を記録するメディアインターフェース（６）とを備えるビデオレコーダを提案する。【解決手段】  ビデオ信号規格のインジケータが、各記録毎に記録される。ビデオ規格の変化が検出された場合、付随する新たなビデオ規格のインジケータを伴って新たな記録が開始される。  本発明はまた、デジタルストリームを記録する方法も提案する。【選択図】  図１
2004242322.tif 000002
【特許請求の範囲】
【請求項１】
−複数のビデオ規格のうちの１つのビデオ規格のビデオ信号を表すデジタルストリーム（ＭＰＥＧ）のソース（２）と、
−複数の記録のうちの１つの記録としてメディア（１０）上に前記デジタルストリームを記録する手段（６）と、
−前記記録についての前記ビデオ規格のインジケータを記録する手段と、
−前記インジケータを生成するための、前記ビデオ信号の前記ビデオ規格を検出する手段（４、８）と
を有するビデオレコーダ。
【請求項２】
前記検出手段が前記ビデオ規格の変化を検出したときに、前記記録手段が自動的に更なる記録を開始することを特徴とする請求項１に記載のビデオレコーダ。
【請求項３】
複数の記録のうちの１つの記録としてメディア上にデジタルストリームを記録する方法において、前記デジタルストリームは、複数のビデオ規格のうちの１つのビデオ規格のビデオ信号を表し、前記方法は、
−前記ビデオ信号の前記ビデオ規格を検出するステップ（Ｓ２、Ｓ４）と、
−前記記録についての前記ビデオ規格のインジケータを記録するステップ（Ｓ３）と
を有することを特徴とする方法。
【請求項４】
−前記ビデオ信号の前記ビデオ規格における変化を検出するステップ（Ｓ４）と、
−更なる記録として前記デジタルストリームを記録するステップ（Ｓ５）と
を有することを特徴とする請求項３に記載の方法。
【請求項５】
メディア上にデジタルストリームを記録する方法において、該デジタルストリームは複数のビデオ規格のうちの１つのビデオ規格のビデオ信号を表し、前記方法は、
−第１の記録として前記デジタルストリームを記録するステップ（Ｓ１）と、
−第１のビデオ規格から第２のビデオ規格への変化を検出するステップ（Ｓ４）と、
−第２の記録として前記デジタルストリームを記録するステップ（Ｓ５）と
を有することを特徴とする方法。
【請求項６】
前記第２の記録についての前記第２のビデオ規格のインジケータを記録するステップ（Ｓ３）を有することを特徴とする請求項５に記載の方法。
【発明の詳細な説明】
【技術分野】
【０００１】
本発明は、デジタルストリームを記録するビデオレコーダおよび方法に関する。
【背景技術】
【０００２】
アナログビデオ信号は長い間、ＰＡＬ、ＮＴＳＣおよびＳＥＣＡＭという、いくつかの可能な規格に基づいて世界に放送されてきた。これらの規格はいくつかの特徴に相違があるため、ビデオ回路を正確に構成し、ビデオシーケンスの正確な表示を得るために、使用されている規格を識別する必要がある。
【０００３】
デジタル技術の出現によっても、この必要性がなくなることはなかった。ビデオ信号がデジタルエンコード（一般的にはＭＰＥＧ圧縮）されているにもかかわらず、デジタルストリームの背後にはアナログビデオ信号のためのいくつかの可能なビデオ規格、主にＰＡＬおよびＮＴＳＣが依然存在する。
【０００４】
放送以外でビデオコンテンツを配信する主な方法は、例えばＤＶＤ（Ｄｉｇｉｔａｌ  Ｖｅｒｓａｔｉｌｅ  Ｄｉｓｃ）等の記録済みメディアを通すことである。再生を行う側（ＤＶＤプレーヤ）で、所与のメディア（ＤＶＤ）にどのビデオ規格が使用されているかを容易に認識可能にするためには、メディアに、このメディアでビデオ信号用に使用されているビデオ規格の情報を置くことが既に提案されている。
【０００５】
記録済みメディアの分野においては、特許出願ＥＰ  ０  ６７７  ８４３が、各プログラムについて（ＰＡＬまたはＮＴＳＣ等の）ビデオ規格を識別する情報をメディアに置くことを教示している。記録済みメディアの製作者は、使用されるビデオ規格を自ら決定するため、この情報を知っている。
【発明の開示】
【発明が解決しようとする課題】
【０００６】
しかしながら、この解決法は、未知の規格の入力ビデオ信号を記録しなければならないビデオレコーダには適用できない。
【０００７】
本発明は、従来の技術のこの問題を解決することを目指す。
【課題を解決するための手段】
【０００８】
この目的のため、本発明は、複数のビデオ規格のうちの１つのビデオ規格のビデオ信号を表すデジタルストリームのソースと、複数の記録のうちの１つの記録としてメディア上にデジタルストリームを記録する手段と、その記録についてのビデオ規格のインジケータを記録する手段とを備えるビデオレコーダを提案する。
【０００９】
好ましい実施形態によれば、ビデオレコーダは、インジケータを生成するための、ビデオ信号のビデオ規格を検出する手段を有し、好ましくは、検出手段がビデオ規格の変化を検出したときに、記録手段は自動的に更なる記録を開始する。
【００１０】
同様に、本発明は、複数の記録のうちの１つの記録としてメディア上にデジタルストリームを記録する方法を提案し、デジタルストリームは、複数のビデオ規格のうちの１つのビデオ規格のビデオ信号を表し、記録についてのビデオ規格のインジケータを記録するステップを伴う。
【００１１】
この方法は、ビデオ信号のビデオ規格を検出する先述のステップを更に備えていてもよい。
【００１２】
好ましくは、これらの方法は、
−ビデオ信号のビデオ規格における変化を検出するステップと、
−更なる記録としてデジタルストリームを記録するステップと
を有する。
【００１３】
したがって、本発明は、データが複数の記録として配置され、各記録についてビデオ信号規格のインジケータを備えることを特徴とする、ビデオ信号を表すデータを有するメディアを提案する。
【００１４】
ビデオ信号を正確に取り出すために、本発明は、データが複数の記録として配置されるメディアからビデオ信号を表すデジタルストリームを再生する方法を提案し、その方法は、記録のビデオ信号規格のインジケータを読み出すステップを有する。
【００１５】
このコンセプトに従い、本発明はメディア上にデジタルストリームを記録する方法を提案し、デジタルストリームは複数のビデオ規格のうちの１つのビデオ規格のビデオ信号を表し、この方法は、
−第１の記録としてデジタルストリームを記録するステップと、
−第１のビデオ規格から第２のビデオ規格への変化を検出するステップと、
−第２の記録としてデジタルストリームを記録するステップと
を有する。
【００１６】
この方法は、第２の記録についての第２のビデオ規格のインジケータを記録するステップをさらに備えていてもよい。
【００１７】
本発明の他の特徴は、添付図面に言及する以下の説明で明らかになる。
【発明を実施するための最良の形態】
【００１８】
デジタルビデオ受信機およびレコーダが図１に示される。
【００１９】
（チューナ、復調器およびデマルチプレクサを備える）デジタル受信機２は、アンテナ１２で受信された電磁信号に基づいてＭＰＥＧストリーム（デジタルビデオストリーム）を生成する。図１の装置については、デジタル受信機２はデジタルストリームのソースであるとみなすこともできる。
【００２０】
デジタル受信機２により生成されたＭＰＥＧストリームは、一方ではビデオプロセッサ４に、そして他方ではメディアインターフェース６に伝送される。
【００２１】
ビデオプロセッサ４は、ＭＰＥＧストリームをＹＣｂＣｒデジタルストリームにデコードするＭＰＥＧデコーダと、このＹＣｂＣｒデジタルストリームを例えばコンポジットビデオベースバンド信号（ＣＶＢＳ）等のアナログビデオ信号に変換するビデオエンコーダとを備え、その信号は、例えばＣｉｎｃｈコネクタ等のコネクタ１４を通して別の装置に伝送される。
【００２２】
メディアインターフェース６は、ＭＰＥＧストリームを例えば記録可能なＤＶＤ１０等のメディア上に記録する。
【００２３】
メディアインターフェース６およびビデオプロセッサ４はマイクロプロセッサ８により制御される。例えば、マイクロプロセッサ８はメディアインターフェース６を制御し、アンテナ１２においてさまざまなチャンネルで時間の異なる瞬間に受信されたいくつかの放送プログラムを、ユーザの命令に従って、メディア１０上にいくつかの記録として記録されるようにする。（この説明においては、「物理的なトラック」との混同を避けるため、「トラック」よりも「記録」という用語が好ましい。）
【００２４】
ビデオプロセッサ４のＭＰＥＧデコーダは、入力ＭＰＥＧストリーム、および特に現在のＭＰＥＧストリーム中に提供されているビデオ規格情報をデコードする。
【００２５】
このビデオ規格情報は、このビデオ規格に従いアナログビデオ信号をエンコードするビデオプロセッサ４のビデオエンコーダにより使用される。
【００２６】
ビデオ規格情報はマイクロプロセッサ８にも伝送される。ユーザが新たな記録の開始を要求したとき、マイクロプロセッサ８はビデオ規格のインジケータをメディアインターフェース６に伝送し、このビデオ規格のインジケータが、記録に付随する情報としてメディア上に記録されるようにする。マイクロプロセッサ８は、その後、ＭＰＥＧストリームの記録を開始する。
【００２７】
記録が行われている間、マイクロプロセッサ８はビデオプロセッサ４からビデオ規格情報を受信し続ける。（ユーザによるチャンネル変更等によるあらゆる理由での）ビデオ規格の変化が検出された場合、マイクロプロセッサ８は、新たな記録を開始するため、そしてこの新たな記録のために新たに受信されたビデオ規格のインジケータを付随させるため、メディアインターフェース６を自動的に制御する。
【００２８】
この過程の詳細を示した動作チャートが図２に示されている。
【００２９】
ステップＳ１においては、ユーザの要求により新たな記録が開始される。マイクロプロセッサ８は、入力ＭＰＥＧストリームを新たな記録としてメディア１０上に記録するよう、メディアインターフェース６を制御する。一例として、５つの記録が既にメディア上に存在する場合、新たな記録は、記録６である。
【００３０】
新たな記録の初期化の間（記録６）、マイクロプロセッサ８は、ビデオプロセッサ４から、ＭＰＥＧストリームにコードされたアナログ信号のビデオ規格に関する情報を受信する（ステップＳ２）。記録に付随するメタデータとして、ビデオ規格のインジケータがメディア１０上に記録される（ステップＳ３）。これらのメタデータは、次の表に従って、例えば２ビットでコードされる。
【表１】
2004242322.tif 000003
【００３１】
記録の間、マイクロプロセッサは連続的に現在のビデオ規格についての情報を受信し、ビデオ規格の変化をチェックする（ステップＳ４）。
【００３２】
ビデオ規格に変化がない場合（これが最も多い）、ビデオレコーダは同一の記録の書き込みを続行し（記録６）、記録を停止せよというユーザからの命令が受信されたかどうかの検証等のウェイティングループの他のステップを進める（ステップＳ６）。停止命令が受信された場合、記録は停止される（ステップＳ７）。停止命令が受信されない場合、記録は継続され、ビデオレコーダは再度ビデオ規格の変化をチェックする（ステップＳ４）。
【００３３】
ビデオ規格の変化が検出された場合、マイクロプロセッサ８は、現在の記録（記録６）を終了し、ここでは記録７である新たな記録を開始するためにメディアインターフェース６を制御する（ステップＳ５）。重要なことには、この新たな記録は、この特定の瞬間におけるユーザからの命令なしに、ビデオレコーダによって自動的に開始される。
【００３４】
この新たな記録へのメタデータとして（記録７）、（ここではビデオプロセッサ４からの、マイクロプロセッサ８により受信された）新たなビデオ規格のインジケータがメディア上に書き込まれる（ステップＳ３）。記録動作は、記録７で継続される。
【００３５】
本発明は、もちろん上述の実施形態に限定されるものではない。本発明の範囲から逸脱することなく、変形は可能である。
【００３６】
例えば、デジタルストリームのソースは、アナログチューナからのビデオ信号または、例えば外部のビデオプレーヤ（ＶＣＲ等）にリンクされる入力コネクタからのビデオ信号等のアナログ信号をエンコードするＭＰＥＧエンコーダにより実施可能である。
【図面の簡単な説明】
【００３７】
【図１】本発明に基づくビデオレコーダの主要素を示したものである。
【図２】図１のビデオレコーダの動作チャートを示したものである。
【符号の説明】
【００３８】
２  デジタル受信機
４  ビデオプロセッサ
６  メディアインターフェース
８  マイクロプロセッサ
１０  メディア
１２  アンテナ
１４  コネクタ
【図１】
2004242322.tif 000004
【図２】
2004242322.tif 000005
【外国語明細書】
2004242322.tif 000006
2004242322.tif 000007
2004242322.tif 000008
2004242322.tif 000009
2004242322.tif 000010
2004242322.tif 000011
2004242322.tif 000012
2004242322.tif 000013
2004242322.tif 000014
2004242322.tif 000015
2004242322.tif 000016
2004242322.tif 000017